(57)【特許請求の範囲】
【請求項１】
記録紙を給紙経路へ給紙する給紙手段と、前記給紙経路へ給紙された前記記録紙を所定の搬送量で搬送する記録紙搬送手段と、該記録紙搬送手段によって搬送経路を搬送される前記記録紙の記録面に記録を実行する記録実行手段と、該記録実行手段によって記録実行済みの前記記録紙を排出経路へ排出する記録紙排出手段と、
前記記録実行手段によって表面に記録実行済みの前記記録紙を、該記録紙の終端側から前記搬送方向と逆方向に、前記搬送経路とは異なる逆送経路を介して、前記給紙手段に向けて搬送し、前記給紙手段によって、該記録紙の終端側から前記給紙経路へ該記録紙の裏面を前記記録面として給紙する記録面反転給紙手段と、
前記記録紙の記録面に記録実行中は前記搬送方向に駆動回転し、前記記録紙を該記録紙の終端側から前記逆送経路を介して前記給紙手段に向けて搬送する際には前記搬送方向と逆方向に駆動回転して前記記録紙を前記逆送経路へ向けて搬送する双方向搬送駆動ローラと、
該双方向搬送駆動ローラに付勢された状態で従動回転可能な双方向搬送従動ローラと、
該双方向搬送従動ローラを前記双方向搬送駆動ローラからレリースさせる双方向搬送従動ローラレリース手段と、
前記排出手段の排出方向下流側に設けられ、前記排出経路とは異なる待避経路と、
表面に記録実行済みの前記記録紙の裏面に記録を実行する際に該記録紙の始端を前記待避経路へ誘導する記録紙始端誘導手段とを備え、
前記記録面反転給紙手段は、前記双方向搬送駆動ローラを前記搬送方向と逆方向に駆動回転させて前記記録紙を前記逆送経路へ向けて搬送する際に、前記記録紙の終端を前記逆送経路へ誘導する記録紙終端誘導手段を有し、
前記記録紙終端誘導手段は、従動回転可能に軸支され、前記記録紙の終端近傍を前記逆送経路の入口へ押動する如く移動可能に配設されている前記双方向搬送従動ローラを有する構成を成しており、
前記排出経路は、前記記録紙の記録面を内側に湾曲させながら前記記録紙を反転させて排出する湾曲経路を有しており、
表面に記録実行後の前記記録紙の裏面に記録を実行する際には、前記双方向搬送従動ローラを前記双方向搬送駆動ローラからレリースさせる、ことを特徴とした記録装置。
【請求項２】
請求項１において、前記記録面反転給紙手段は、前記逆送経路に前記記録紙の記録実行済みの記録面と反対側の面に接して駆動回転する逆送駆動ローラと、前記逆送経路を介して搬送された前記記録紙の記録実行済みの記録面に接して従動回転する逆送従動ローラとを備え、前記逆送駆動ローラと前記逆送従動ローラとで前記逆送経路を介して搬送される前記記録紙を挟持し、前記逆送駆動ローラの駆動回転によって、前記逆送経路を介して前記記録紙を前記給紙手段へ向けて搬送する構成を成している、ことを特徴とした記録装置。
【請求項３】
請求項１又は２において、前記逆送経路には、前記記録紙を検出可能な紙検出器が配設されている、ことを特徴とした記録装置。
【請求項４】
請求項１〜３のいずれか１項において、前記記録紙始端誘導手段は、前記湾曲経路の一部が揺動して前記排出経路から待避することによって、記録実行後の前記記録紙が前記待避経路へ誘導される構成を成している、ことを特徴とした記録装置。
【発明の詳細な説明】
【０００１】
【発明の属する技術分野】
本願発明は、記録紙の両面に記録実行可能な構成を有する記録装置に関する。
【０００２】
【従来の技術】
従記録紙の表面に記録実行後、記録装置内で記録紙の面を反転させて、記録紙の裏面に記録を実行して記録紙の両面に記録を実行することが可能な構成を有する従来の記録装置の一例としては、記録紙の記録面を反転させるための専用の反転ローラを備えたものが公知である。これは、記録実行後の記録紙を記録実行時の搬送経路を介して記録実行時の搬送方向と逆方向に搬送し、その記録紙を専用の反転ローラにて反転させながら再び搬送経路に戻すことによって、記録面を反転させるものである。
【０００３】
しかし、専用の反転ローラを設けることによって、その分記録装置のコストが上昇してしまうとともに、専用の反転ローラを配設するスペースの分だけ記録装置が大型になってしまうという問題が生じてしまう。そこで、このような問題を解決した従来技術としては、専用の反転ローラを設けずに、記録装置内で記録紙の面を反転させて、記録紙の裏面に記録を実行して記録紙の両面に記録を実行することが可能な構成を有する記録装置が公知であり、その一例として、特開２００１−２９０３１３号公報や特開平５−２９７６６２号公報等が挙げられる。
【０００４】
【発明が解決しようとする課題】
しかしながら、前述した従来技術に開示されている記録装置は、記録紙の面を反転させた後、直接記録実行領域に記録紙を給紙するため、給紙トレイや給紙カセット等から記録紙を給紙する給紙制御手順と、記録実行後の記録紙を反転させた後に記録実行領域に給紙する給紙制御手順とが異なることになる。したがって、記録紙の両面に記録を実行する際の給紙制御手順が複雑になってしまうという問題が生じることになる。
【０００５】
本願発明は、このような状況に鑑み成されたものであり、その課題は、専用の反転ローラを設けずに、記録装置内で記録紙の面を反転させて、記録紙の裏面に記録を実行して記録紙の両面に記録を実行することが可能な構成を有する記録装置において、記録紙の両面に記録を実行する際の給紙制御手順を簡略にすることにある。
【０００６】
【課題を解決するための手段】
上記課題を達成するため、本発明の第1の態様に記載の発明は、記録紙を給紙経路へ給紙する給紙手段と、前記給紙経路へ給紙された前記記録紙を、所定の搬送量で搬送する記録紙搬送手段と、該記録紙搬送手段によって搬送経路を搬送される前記記録紙の記録面に記録を実行する記録実行手段と、該記録実行手段によって記録実行済みの前記記録紙を排出経路へ排出する記録紙排出手段と、前記記録実行手段によって表面に記録実行済みの前記記録紙を、該記録紙の終端側から前記搬送方向と逆方向に、前記搬送経路とは異なる逆送経路を介して、前記給紙手段に向けて搬送し、前記給紙手段によって、該記録紙の終端側から前記給紙経路へ該記録紙の裏面を前記記録面として給紙する記録面反転給紙手段とを備えた記録装置である。
【０００７】
記録実行手段によって表面に記録実行後の記録紙を、その記録紙の終端側から搬送方向と逆方向に、搬送経路とは異なる逆送経路を介して、給紙手段に向けて搬送するので、記録実行領域に給紙する際に記録紙の終端の裏面側から給紙することになり、それによって、専用の反転ローラを設けることなく記録紙の面を反転させることができる。
【０００８】
また、面を反転させた記録紙を記録実行領域に給紙する際に、給紙トレイや給紙カセット等から記録紙を給紙する給紙手段によって記録紙を給紙するので、記録紙の両面に記録を実行する際に、記録紙の表面に記録を実行する際の給紙制御手順と記録紙の裏面に記録を実行する際の給紙制御手順とを共通の制御手順とすることができる。
【０００９】
これにより、本発明の第1の態様に記載の発明によれば、記録実行領域に給紙する際に記録紙の終端の裏面側から給紙することになり、それによって、専用の反転ローラを設けることなく記録紙の面を反転させることができるので、記録装置の小型化とコスト低減を図ることができる。また、記録紙の両面に記録を実行する際に、記録紙の表面に記録を実行する際の給紙制御手順と記録紙の裏面に記録を実行する際の給紙制御手順とを共通の制御手順とすることができるので、記録紙の両面に記録を実行する際の給紙制御手順を簡略にすることができるという作用効果が得られる。
【００１０】
本発明の第２の態様に記載の発明は、前述した第１の態様において、前記記録面反転給紙手段は、前記逆送経路に、前記記録紙の記録実行済みの記録面と反対側の面に接して駆動回転する逆送駆動ローラと、前記逆送経路を介して搬送された前記記録紙の記録実行済みの記録面に接して従動回転する逆送従動ローラとを備え、前記逆送駆動ローラと前記逆送従動ローラとで前記逆送経路を介して搬送される前記記録紙を挟持し、前記逆送駆動ローラの駆動回転によって、前記逆送経路を介して前記記録紙を前記給紙手段へ向けて搬送する構成を成している、ことを特徴とした記録装置である。
【００１１】
このように、逆送経路内に記録紙を挟持して搬送する逆送駆動ローラと逆送従動ローラとが配設されており、駆動回転する逆送駆動ローラが記録紙の記録実行済みの記録面と反対側の面に接するので、逆送駆動ローラと記録紙との間にスリップが生じても記録済みの記録面にスリップ痕がついてしまう虞をなくすことができる。
【００１２】
これにより、本発明の第２の態様に記載の発明によれば、本発明の第1の態様に記載の発明による作用効果に加えて、逆送駆動ローラと記録紙との間にスリップが生じても記録済みの記録面にスリップ痕がついてしまう虞をなくすことができるので、表面に記録実行後の記録紙が逆送経路内を搬送される際に、記録済みの記録面の画質が劣化してしまう虞を少なくすることができるという作用効果が得られる。
【００１３】
本発明の第３の態様に記載の発明は、前述した第1の態様又は第２の態様において、前記記録紙の記録面に記録実行中は、前記搬送方向に駆動回転し、前記記録紙を該記録紙の終端側から前記逆送経路を介して前記給紙手段に向けて搬送する際には、前記搬送方向と逆方向に駆動回転して前記記録紙を前記逆送経路へ向けて搬送する双方向搬送駆動ローラと、該双方向搬送駆動ローラに付勢された状態で従動回転可能な双方向搬送従動ローラと、該双方向搬送従動ローラを前記双方向搬送駆動ローラからレリースさせる双方向搬送従動ローラレリース手段とを有する構成を成している、ことを特徴とした記録装置である。
【００１４】
記録紙の記録面に記録を実行する際には、記録紙の搬送方向に駆動回転する双方向搬送駆動ローラと、その双方向搬送駆動ローラに付勢されている双方向搬送従動ローラとで記録紙を挟持し、双方向搬送駆動ローラの駆動回転によって記録紙を排出経路へ搬送する。また、表面に記録済みの記録紙を逆送経路に向けて搬送する際には、記録紙への記録実行後、記録紙の終端近傍が双方向搬送駆動ローラと双方向搬送従動ローラとの挟持部分に到達した時点で、双方向搬送駆動ローラを逆回転させることで、表面に記録済みの記録紙を終端側から逆送経路へ搬送することができる。
【００１５】
そして、その記録紙の終端が逆送経路を介して給紙手段に到達し、給紙手段によって記録実行領域に向けて給紙され、記録紙の終端側から裏面への記録が行われる。その際、双方向搬送駆動ローラは、記録紙の裏面への記録が開始されると、記録紙を搬送方向に駆動回転制御される。しかし、その時点で、記録紙の始端側が双方向搬送駆動ローラと双方向搬送従動ローラとの間に挟持されたままの状態であると、双方向搬送駆動ローラが搬送方向に回転することによって、記録紙の始端側を記録紙の搬送方向と逆方向に引っ張ってしまうことになり、記録紙を終端側から搬送方向に搬送して裏面に記録実行中の記録紙にバックテンションが作用してしまうことになる。
【００１６】
そこで、記録紙の終端側から給紙手段によって記録紙が給紙され、記録紙の裏面に記録を開始する時点から、記録紙の始端が記録紙排出手段を抜けるまでは、双方向搬送従動ローラを双方向搬送従動ローラレリース手段によってレリース（離間）させる。それによって、裏面に記録実行中の記録紙の始端側は、フリーな状態となるので、記録紙にバックテンションが作用することを防止することができる。
【００１７】
これにより、本発明の第３の態様に記載の発明によれば、前述した第1の態様又は第２の態様に記載の発明による作用効果に加えて、双方向に駆動回転可能な双方向搬送駆動ローラを有する記録紙排出手段によって、逆送経路を介して記録紙を給紙手段へ搬送し、記録紙の裏面に終端側から記録を実行する際に、記録紙の始端側にバックテンションが作用することを防止することができるので、それによって、記録画質が低下してしまう虞を防止することができる。
【００１８】
本発明の第４の態様に記載の発明は、前述した第１〜第３の態様のいずれかにおいて、前記記録面反転給紙手段は、前記双方向搬送駆動ローラを前記搬送方向と逆方向に駆動回転させて前記記録紙を前記逆送経路へ向けて搬送する際に、前記記録紙の終端を前記逆送経路へ誘導する記録紙終端誘導手段を備えている、ことを特徴とした記録装置である。
【００１９】
本発明の第４の態様に記載の発明によれば、前述した第１〜第３の態様のいずれかに記載の発明による作用効果に加えて、表面に記録済みの記録紙を終端側から逆送経路へ搬送する際に、その記録紙の終端を逆送経路へ誘導する記録紙終端誘導手段を備えているので、表面に記録実行後の記録紙の終端を確実に逆送経路の入口へ誘導することができるという作用効果が得られる。
【００２０】
本発明の第５の態様に記載の発明は、前述した第４の態様において、前記記録紙終端誘導手段は、従動回転可能に軸支され、前記記録紙の終端近傍を前記逆送経路の入口へ押動する如く移動可能に配設されている記録紙終端誘導ローラを有する構成を成している、ことを特徴とした記録装置である。
【００２１】
本発明の第５の態様に記載の発明によれば、前述した第４の態様に記載の発明による作用効果に加えて、従動回転可能に軸支された記録紙終端誘導ローラで、表面に記録実行後の記録紙の終端近傍を逆送経路の入口へ押動して誘導するので、記録済みの記録面側の終端を押動して逆送経路へ誘導した際に、記録紙終端誘導ローラが記録紙の移動にともなって従動回転するので、記録済みの記録面に負荷が作用せず、記録面を傷つけてしまう虞を少なくすることができるという作用効果が得られる。
【００２２】
本発明の第６の態様に記載の発明は、前述した第１〜第５の態様のいずれかにおいて、前記逆送経路には、前記記録紙を検出可能な紙検出器が配設されている、ことを特徴とした記録装置である。
【００２３】
本発明の第６の態様に記載の発明によれば、前述した第１〜第５の態様のいずれかに記載の発明による作用効果に加えて、逆送経路に記録紙を検出可能な紙検出器が配設されているので、逆送経路内において記録紙の終端位置を検出することができ、その後に給紙手段によって給紙される記録紙が、表面に記録実行済みで、その裏面が記録面となっている記録紙であることを識別することが可能になるという作用効果が得られる。
【００２４】
本発明の第７の態様に記載の発明は、前述した第１〜第６の態様のいずれかにおいて、前記排出手段の排出方向下流側に、前記排出経路とは異なる待避経路を備え、表面に記録実行済みの前記記録紙の裏面に記録を実行する際には、該記録紙の始端を前記待避経路へ誘導する記録紙始端誘導手段を備えている、ことを特徴とした記録装置である。
【００２５】
記録紙の両面に記録を実行する際に、表面への記録実行後、その記録紙を排出経路へ途中まで排出した後に逆送経路を介して逆送すると、記録紙の排出口に一時的に記録紙が飛び出した後、再び排出口に入っていくことになる。したがって、その際に、排出口に飛び出した記録紙をユーザーが誤って引っ張ってしまう虞がある。
【００２６】
そこで、記録紙の両面に記録を実行する際には、表面への記録実行後、記録紙の始端側を待避経路へ誘導し、排出経路へ記録紙を排出せずに待避経路へ記録紙を一時的に待避させることによって、表面に記録実行後の記録紙を排出経路に記録紙を排出することなく記録紙の終端側から逆送経路へ送ることができる。
【００２７】
これにより、本発明の第７の態様に記載の発明によれば、前述した第１〜第６の態様のいずれかに記載の発明による作用効果に加えて、表面に記録実行後の記録紙を排出経路に記録紙を排出することなく記録紙の終端側から逆送経路へ送ることができるので、表面に記録実行後の記録紙を、ユーザーが誤って引っ張り出してしまう虞をなくすことができるという作用効果が得られる。
【００２８】
本発明の第８の態様に記載の発明は、前述した第７の態様において、前記排出経路は、前記記録紙の記録面を内側に湾曲させながら前記記録紙を反転させて排出する湾曲経路を備える、ことを特徴とした記録装置である。
【００２９】
波打ち変形した記録紙を記録面が内側になる如く湾曲させることによって、湾曲方向と直交する方向の矯正力を記録紙に対して作用させることができる。つまり、主走査方向に波打ち変形した記録紙を副走査方向に記録面が内側になる如く湾曲させることによって、湾曲方向と直交する方向の矯正力が記録紙に対して作用するので、主走査方向の矯正力が記録紙に作用することになる。したがって、記録面を内側に湾曲させながら記録実行後の記録紙を反転させる湾曲経路によって、コックリング現象によって生じた記録紙の主走査方向の波打ち変形を矯正することができる。
【００３０】
これにより、本発明の第８の態様に記載の発明によれば、前述した第７の態様に記載の発明による作用効果に加えて、記録面を内側に湾曲させながら記録実行後の記録紙を反転させる湾曲経路によって、コックリング現象によって生じた記録紙の主走査方向の波打ち変形を矯正することができるので、コックリング現象による記録実行後の記録紙の波打ち変形を矯正することができるという作用効果が得られる。
【００３１】
また、記録紙を湾曲させて反転させることによって、前面から給紙した記録紙が記録実行後、再び前面に排出されるインクジェット式記録装置を構成することができるという作用効果も得られる。
【００３２】
本発明の第９の態様に記載の発明は、前述した第８の態様において、前記記録紙始端誘導手段は、前記湾曲経路の一部が揺動して前記排出経路から待避することによって、記録実行後の前記記録紙が前記待避経路へ誘導される構成を成している、ことを特徴とした記録装置である。
【００３３】
このように、記録紙始端誘導手段は、湾曲経路の一部が揺動して排出経路から待避することによって、記録実行後の記録紙が待避経路へ誘導される構成を成している、つまり、湾曲経路の一部が記録紙始端誘導手段を兼ねているので、記録紙始端誘導手段を別途配設する必要が無い。
【００３４】
これにより、本発明の第９の態様に記載の発明によれば、前述した第８の態様に記載の発明による作用効果に加えて、湾曲経路の一部が記録紙始端誘導手段を兼ねているので、効率的に記録紙始端誘導手段を構成することができるという作用効果が得られる。
【００３５】
【発明の実施の形態】
以下、本願発明の一実施の形態を図面に基づいて説明する。
まず、本願発明に係る「記録装置」としてのインクジェット式記録装置の概略構成について説明する。
図１は、本願発明に係る「記録装置」としてのインクジェット式記録装置の一実施の形態を示した斜視図であり、図２は、要部側面図である。
【００３６】
インクジェット式記録装置５０には、記録紙Ｐの記録面上を主走査方向Ｘに往復動しながら記録面にインクを吐出して記録を実行する「記録実行手段」手段として、キャリッジガイド軸６１及びサブキャリッジガイド軸６１Ｓに軸支され、主走査方向Ｘに移動するキャリッジ６２が配設されている。キャリッジ６２には、記録紙Ｐにインクを吐出する記録ヘッド６３が搭載されている。記録ヘッド６３と対向して、記録ヘッド６３のヘッド面と記録紙Ｐとの間隔を規定するプラテン５３が設けられている。そして、キャリッジ６２を主走査方向Ｘに往復動させながら記録ヘッド６３のヘッド面から記録紙Ｐにインクを吐出する動作と、記録紙Ｐを副走査方向Ｙに所定の搬送量で搬送する動作とを交互に繰り返すことで記録紙Ｐに記録が行われる。
【００３７】
また、インクジェット式記録装置５０は、多数の記録紙Ｐを積重可能な給紙カセット７０が装着可能な構成を成しており、給紙カセット７０を装着した状態で、給紙カセット７０に配設されているゲートローラ７３、リバースローラ７４、ホッパー７５及び高摩擦部材７６と、インクジェット式記録装置５０に配設されている給紙ローラ７１及びピックアップローラ７２とで、記録紙Ｐの「給紙手段」としての給紙装置を構成している。
【００３８】
さらに、インクジェット式記録装置５０には、給紙された記録紙Ｐを副走査方向Ｙに間欠的に搬送する「記録紙搬送手段」として、搬送駆動ローラ５１と搬送従動ローラ５２とが配設されている。搬送駆動ローラ５１は、回転駆動力源により回転制御され、搬送駆動ローラ５１の回転により、記録紙Ｐは副走査方向Ｙに搬送される。搬送従動ローラ５２は複数設けられており、それぞれ個々に搬送駆動ローラ５１に付勢され、記録紙Ｐが搬送駆動ローラ５１の回転により搬送される際に、記録紙Ｐに接して記録紙Ｐの搬送に従動して回転する。
【００３９】
搬送駆動ローラ５１の副走査方向Ｙの上流側には、紙検出器５６が配設されている。紙検出器５６は、立位姿勢への自己復帰習性が付与され、かつ記録紙搬送方向にのみ回動し得るよう記録紙Ｐの搬送経路内に突出する状態で枢支されたレバー部５６ａを有し、このレバー部５６ａの先端が記録紙Ｐに押されることでレバー部５６ａが回動し、それによって記録紙Ｐが検出される構成を成している。
【００４０】
さらに、インクジェット式記録装置５０には、記録実行後の記録紙Ｐを排出する「記録紙排出手段」として、排紙駆動ローラ５４と排紙従動ローラ５５が配設されている。排紙駆動ローラ５４は、回転駆動力源により回転制御され、排紙駆動ローラ５４の回転により、記録実行後の記録紙Ｐは副走査方向Ｙに排出される。排紙従動ローラ５５は、周囲に複数の歯を有し、各歯の先端が記録紙Ｐの記録面に点接触するように鋭角的に尖っている歯付きローラとなっている。排紙従動ローラ５５は、それぞれ個々に排紙駆動ローラ５４に、前述の搬送従動ローラ５２の付勢力よりも弱い付勢力で付勢され、記録紙Ｐが排紙駆動ローラ５４の回転により排出される際に、記録紙Ｐに接して記録紙Ｐの排出に従動して回転する。そして、記録実行後の記録紙Ｐは、排紙駆動ローラ５４及び排紙従動ローラ５５により副走査方向Ｙの下流側に排出される。
【００４１】
排紙駆動ローラ５４及び排紙従動ローラ５５の下流側には、「排出経路」として、記録済みの記録面を内側に湾曲させながら記録紙Ｐを反転させて排紙トレイ（図示せず）へ排出する湾曲経路３が構成されている。湾曲経路３は、図示の如く、記録面を内側に湾曲させながら、記録実行後の記録紙Ｐの面を反転させて排出方向Ｅへ排出する。湾曲経路３には、複数の排紙駆動ローラ３１及び排紙従動ローラ３２が配設されている。
【００４２】
排紙駆動ローラ３１ａ〜３１ｄは、前述の排紙駆動ローラ５４と同様に、回転駆動力源により回転制御され、排紙駆動ローラ３１ａ〜３１ｄの回転により湾曲経路の記録紙Ｐが排出方向Ｅへ排出される。また、排紙従動ローラ３２ａ〜３２ｄは、排紙従動ローラ５５と同様に、周囲に複数の歯を有し、各歯の先端が記録紙Ｐの記録面に点接触するように鋭角的に尖っている歯付きローラとなっている。それぞれ個々に排紙駆動ローラ３１ａ〜３１ｄに、前述の搬送従動ローラ５２の付勢力よりも弱い付勢力で付勢され、記録紙Ｐが排紙駆動ローラ３１ａ〜３１ｄの回転により排出方向Ｅへ排出される際に、記録紙Ｐに接して記録紙Ｐの排出に従動して回転する。
【００４３】
さらに、インクジェット式記録装置５０は、本願発明に係る「記録面反転給紙手段」として、記録紙Ｐの両面に記録を実行する際に、記録実行手段によって表面に記録実行後の記録紙Ｐを、記録紙Ｐの終端側から搬送方向と逆方向に、記録実行時の搬送経路とは異なる逆送経路１を介して、給紙手段に向けて搬送し、給紙手段によって、記録紙Ｐの終端側から給紙経路へ記録紙Ｐの裏面を記録面として給紙する手段を備えている。
【００４４】
記録面反転給紙手段は、表面に記録実行後の記録紙Ｐを一時的に待避させる「待避経路」としての待避トレイ２を備えている。このように、表面に記録実行後の記録紙Ｐを排出経路１に排出することなく記録紙Ｐの終端側から逆送経路１へ送ることができるので、表面に記録実行後の記録紙Ｐをユーザーが誤って引っ張り出してしまう虞をなくすことができる。
【００４５】
また、記録面反転給紙手段は、記録紙搬送方向に記録紙Ｐを搬送しつつ記録実行後の記録紙Ｐの始端を待避方向Ｓへ誘導して待避トレイ２へ待避させる「記録紙始端誘導手段」を備えている。記録紙始端誘導手段は、湾曲経路３の揺動部３３が図示の如く揺動して、排出経路Ｅから一点鎖線で示した揺動部３３ａの位置へ待避することによって、表面に記録実行後の記録紙Ｐが待避経路２へ誘導される構成を成している。このように、湾曲経路３の一部が揺動して排出経路Ｅから待避することによって、記録実行後の記録紙Ｐが待避経路Ｓへ誘導される構成を成している、つまり、湾曲経路３の一部が記録紙始端誘導手段を兼ねているので、記録紙始端誘導手段を別途配設する必要が無い。
【００４６】
さらに、記録面反転給紙手段は、待避トレイ２に待避させた記録実行後の記録紙Ｐを、その終端を逆送経路１へ誘導し（記録紙終端誘導手段）、その終端側から逆送経路１へ搬送する双方向搬送駆動ローラ４１及び双方向搬送従動ローラ４２、並びに双方向搬送従動ローラ４２を双方向搬送駆動ローラ４１からレリースさせる「双方向搬送従動ローラレリース手段」を備えている。双方向搬送従動ローラ４２は、排紙従動ローラ５５と同様に、周囲に複数の歯を有し、各歯の先端が記録紙Ｐの記録面に点接触するように鋭角的に尖っている歯付きローラとなっている。
【００４７】
さらに、記録面反転給紙手段は、逆送経路１の入口側に、逆送経路１へ搬送された記録実行後の記録紙Ｐの記録面と反対側の面に接して駆動回転する逆送駆動ローラ１１と、その記録面に接して従動回転する逆送従動ローラ１２とを備えている。逆送駆動ローラ１１と逆送従動ローラ１２とで逆送経路１を介して搬送される記録紙Ｐを挟持し、逆送駆動ローラ１１の駆動回転によって、表面に記録実行後の記録紙Ｐを給紙手段へ向けて逆送する。
【００４８】
さらに、記録面反転給紙手段は、逆送経路１内に紙検出器１３を備えている。紙検出器１３は、前述の紙検出器５６と同様に、立位姿勢への自己復帰習性が付与され、かつ記録紙逆送方向にのみ回動し得るよう記録紙Ｐの逆送経路内に突出する状態で枢支されたレバー部１３ａを有し、このレバー部１３ａの先端が記録紙Ｐに押されることでレバー部１３ａが回動し、それによって記録紙Ｐが検出される構成を成している。
【００４９】
つづいて、本願発明に係る「記録面反転給紙手段」によって、記録紙Ｐの両面に記録を実行する際に、表面に記録実行後の記録紙Ｐをその終端側から搬送方向と逆方向に逆送経路１を介して給紙手段に向けて逆送し、記録紙Ｐの裏面の終端側から給紙手段によって給紙し、裏面に記録を実行し排出する工程について説明する。
【００５０】
図３は、本願発明に係る「記録装置」としてのインクジェット式記録装置５０の要部側面図であり、記録紙Ｐを給紙し、表面に記録を実行している状態を示したものである。
【００５１】
まず、ホッパー７７が符号Ａで示した矢印の方向に上昇することによって、給紙カセット７０に積重された記録紙Ｐの最上位の記録紙Ｐがピックアップローラ７２に押しつけられる。次に、ピックアップローラ７２が符号Ｂの矢印で示した回転方向に回転することによって、ピックアップローラ７２に押しつけられている記録紙Ｐの始端が、給紙ローラ７１とリバースローラ７４とのニップ点（ローラ同士の接触点）に到達する。
【００５２】
つづいて、記録紙Ｐの始端は、給紙ローラ７１が符号Ｃの矢印で示した回転方向に回転することによって、搬送駆動ローラ５１及び搬送従動ローラ５２のニップ点に到達する。リバースローラ７４の回転軸は給紙方向と逆方向、つまり記録紙Ｐを給紙カセット７０内に戻す方向に駆動回転している。そして、その回転軸にリバースローラ７４は、一定の回転抵抗を有した状態で従動回転可能に軸支されている。したがって、給紙ローラ７１とリバースローラ７４との間に記録紙Ｐが１枚だけ挟持された状態においては、給紙ローラ７１の駆動回転によって給紙される記録紙Ｐに従動して回転する（符号Ｄの矢印で示した回転方向）。
【００５３】
一方、給紙ローラ７１とリバースローラ７４との間に複数枚の記録紙Ｐが挟持された状態においては、複数の記録紙Ｐ間の摩擦抵抗よりリバースローラ７４の回転抵抗の方が大きいので、リバースローラ７４は、リバースローラ７４を軸支している回転軸の駆動回転によって、記録紙Ｐを給紙カセット７０内に戻す方向に回転し、リバースローラ７４に接している記録紙Ｐは、給紙カセット７０内に戻されることになる。このように、リバースローラ７４は、給紙ローラ７１とのニップ点において、複数の重なった状態の記録紙Ｐを分離し、給紙ローラ７１の回転によって複数の記録紙Ｐが給紙されるのを防止する役割を成している。
【００５４】
尚、ホッパー７５の端部近傍に配設されている高摩擦部材７６は、ホッパー７５に積重されている記録紙Ｐの最上位の記録紙Ｐが、ピックアップローラ７２によって給紙ローラ７１へ送られる際に、その積重された記録紙Ｐが一緒に給紙方向に動いてしまうことを防止し、それによって、記録紙Ｐが重なった状態で給紙される虞を低減させている。コイルばね７７は、ホッパー７５を上昇させるために、ホッパー７５が下降した状態でホッパー７５と給紙カセット７０の底部との間に縮設されている。ゲートローラ７３は、記録紙Ｐを給紙ローラ７１に押し当てつつ回転する。
【００５５】
つづいて、給紙ローラ７１の回転によって搬送駆動ローラ５１と搬送従動ローラ５２とのニップ点に始端が到達した記録紙Ｐは、搬送駆動ローラ５１の駆動回転によって、副走査方向Ｙへ間欠的に所定の搬送量で搬送されつつ、主走査方向Ｘに往復動するキャリッジ６２に搭載された記録ヘッド６３から記録面にインクを吐出されて表面に記録が実行される。そして、記録紙Ｐは、排紙駆動ローラ５４と排紙従動ローラ５５との間に挟持された状態で、排紙駆動ローラ５４の駆動回転によって引き続き副走査方向Ｙへ搬送される。
【００５６】
図４は、本願発明に係る「記録装置」としてのインクジェット式記録装置５０の要部側面図であり、表面に記録実行後の記録紙Ｐが、待避経路Ｓへ誘導され、待避トレイ２へ搬送される状態を示したものである。排紙駆動ローラ５４の駆動回転によって引き続き副走査方向Ｙへ搬送される記録紙Ｐは、湾曲経路３の揺動部３３が符号Ｆの矢印で示した方向に揺動することによって、待避経路Ｓへ誘導されて待避トレイ２へと搬送される。
【００５７】
図５は、本願発明に係る「記録装置」としてのインクジェット式記録装置５０の要部側面図であり、表面に記録実行後の記録紙Ｐが、待避トレイ２へ搬送された状態を示したものである。
【００５８】
副走査方向Ｙの下流側の排紙駆動ローラ５４と排紙従動ローラ５５とのニップ点を通過した記録紙Ｐは、同図に示した状態で一旦停止する。そして、双方向搬送従動ローラ４２が符号Ｇの矢印で示した方向に移動することによって、待避トレイ２の記録紙Ｐの終端近傍は、双方向搬送駆動ローラ４１と、双方向搬送従動ローラ４２との間に挟持されるとともに、逆送経路１の入口側へ誘導される。
【００５９】
これによって、表面に記録実行後の記録紙Ｐの終端を確実に逆送経路１の入口へ誘導することができる。また、記録済みの記録面側の終端を押動して逆送経路１へ誘導した際に、双方向搬送従動ローラ４２が記録紙Ｐの移動にともなって従動回転するので、記録済みの記録面に負荷が作用せず、記録面を傷つけてしまう虞を少なくすることができる。
【００６０】
図６は、本願発明に係る「記録装置」としてのインクジェット式記録装置５０の要部側面図であり、待避トレイ２へ搬送された表面に記録実行後の記録紙Ｐの終端近傍が、逆送経路１の入口側へ誘導された状態を示したものである。
【００６１】
待避トレイ２へ搬送された表面に記録実行後の記録紙Ｐの終端近傍は、双方向搬送従動ローラ４２が移動することによって、その終端近傍が逆送経路１の入口側へ誘導される。そして、双方向搬送駆動ローラ４１と双方向搬送従動ローラ４２との間に挟持された状態となる。双方向搬送駆動ローラは、記録紙Ｐへの記録実行時には、副走査方向Ｙに駆動回転するが、記録紙をその終端側から逆送経路１を介して給紙手段に向けて搬送する際には、副走査方向Ｙと逆方向、つまり逆送方向Ｒに駆動回転して記録紙Ｐを逆送経路１へ向けて搬送する。
【００６２】
図７は、本願発明に係る「記録装置」としてのインクジェット式記録装置５０の要部側面図であり、待避トレイ２へ搬送された表面に記録実行後の記録紙Ｐ終端を、逆送経路１を介して給紙手段へ逆送した状態を示したものである。
【００６３】
逆送駆動ローラ１１を逆送方向Ｒへ駆動回転させることによって、待避トレイ２に待避させた表面に記録実行後の記録紙Ｐを、その終端が給紙ローラ７１とリバースローラ７４とのニップ点の近傍に到達する位置まで逆送する。駆動回転する逆送駆動ローラ１１は、記録紙Ｐの記録実行済みの記録面と反対側の面に接するので、逆送駆動ローラ１１と記録紙Ｐとの間にスリップが生じても記録実行後の記録面にスリップ痕がついてしまう虞をなくすことができる。
【００６４】
この際、逆送経路１内に配設されている紙検出器１３で表面に記録実行後の記録紙Ｐの終端を検出した時点から、所定の搬送量だけ逆送駆動ローラ１１を駆動回転させることによって、表面に記録実行後の記録紙Ｐの終端が給紙ローラ７１とリバースローラ７４とのニップ点の近傍に位置するまで逆送する。そして、紙検出器１３で表面に記録実行後の記録紙Ｐの終端を検出することによって、給紙手段によって給紙される記録紙Ｐが、表面に記録実行済みで、その裏面が記録面となっている記録紙Ｐであることを識別することが可能になる。
【００６５】
また、この状態において、表面に記録実行後の記録紙Ｐは、表裏が反転して表面が下側になり、表面に記録実行時の終端側から給紙される状態になる。また、排出経路Ｅから待避していた湾曲経路３の揺動部３３は、符号Ｈの矢印で示した方向に揺動して、排出経路Ｅに戻る。
【００６６】
図８は、本願発明に係る「記録装置」としてのインクジェット式記録装置５０の要部側面図であり、表面に記録実行後の記録紙Ｐを給紙手段によって給紙し、裏面に記録を実行している状態を示したものである。
【００６７】
給紙カセット７０に積重された記録紙Ｐの最上位の記録紙Ｐを給紙するときと同様に、まず、ホッパー７７が符号Ａで示した矢印の方向に上昇し、表面に記録実行後の記録紙Ｐは、ピックアップローラ７２に押しつけられる。次に、ピックアップローラ７２が符号Ｂの矢印で示した回転方向に回転することによって、表面に記録実行後の記録紙Ｐの終端は、給紙ローラ７１とリバースローラ７４とのニップ点に到達する。
【００６８】
つづいて、表面に記録実行後の記録紙Ｐの終端は、給紙ローラ７１が符号Ｃの矢印で示した回転方向に回転することによって、搬送駆動ローラ５１及び搬送従動ローラ５２のニップ点に到達する。つづいて、搬送駆動ローラ５１の駆動回転によって、副走査方向Ｙへ間欠的に所定の搬送量で搬送されつつ、主走査方向Ｘに往復動するキャリッジ６２に搭載された記録ヘッド６３から記録面にインクを吐出されて、表面に記録実行後の記録紙Ｐの裏面に、裏面の終端側から記録が実行される。そして、排紙駆動ローラ５４と排紙従動ローラ５５との間に挟持された状態で、排紙駆動ローラ５４の駆動回転によって引き続き副走査方向Ｙへ搬送される。
【００６９】
また、表面に記録実行後の記録紙Ｐの裏面に記録を実行する際には、あらかじめ双方向搬送従動ローラ４２を双方向搬送駆動ローラ４１からレリース、つまり符号Ｊの矢印で示した方向に移動させておく。これによって、表面に記録実行後の記録紙Ｐの裏面に記録を実行する際に、その始端側が双方向搬送駆動ローラ４１と双方向搬送従動ローラ４２とに挟持された状態で双方向搬送駆動ローラ４１が副走査方向Ｙへ駆動回転することによって、裏面に記録実行中の記録紙Ｐにバックテンションが作用してしまうことを防止することができる。
【００７０】
図９は、本願発明に係る「記録装置」としてのインクジェット式記録装置５０の要部側面図であり、裏面に記録が実行された記録紙Ｐが、排出経路Ｅへ排出されていく状態を示したものである。排紙駆動ローラ５４の駆動回転によって引き続き副走査方向Ｙへ搬送される裏面に記録実行中の記録紙Ｐは、湾曲経路３に配設されている排紙駆動ローラ３１ａ〜３１ｄ、及び排紙従動ローラ３２ａ〜３２ｄによって、湾曲経路３内を記録実行面（この場合は記録紙Ｐの裏面）が内側に湾曲される。
【００７１】
このように、記録実行後の記録紙Ｐの排出経路Ｅに、記録実行後の記録面を内側に湾曲させながら記録紙Ｐを反転させて排紙トレイへ排出する湾曲経路３が構成されているので、いわゆるコックリング現象により波打ち変形した記録紙Ｐを記録面が内側になる如く湾曲させることによって、湾曲方向と直交する方向の矯正力を記録紙Ｐに対して作用させることができる。
【００７２】
つまり、前述したように、主走査方向Ｘに波打ち変形した記録紙Ｐを、副走査方向Ｙに記録面が内側になる如く湾曲させることによって、湾曲方向と直交する方向の矯正力が記録紙Ｐに対して作用するので、主走査方向Ｘの矯正力が記録紙Ｐに作用することになる。したがって、コックリング現象によって生じた記録紙Ｐの主走査方向Ｘの波打ち変形を矯正することができる。
【００７３】
また、記録紙Ｐを湾曲させることによって、前面から給紙した記録紙Ｐが記録実行後、再び前面に排出されることになり、ユーザーにとっての使い勝手が向上する。さらに、記録紙Ｐの面を反転させて排出するので、記録実行後の記録面が下側になり、それによって、連続して複数の記録紙Ｐに実行した際に、排紙トレイに積重した記録実行後の記録紙Ｐは、記録実行順に積重されることになる。したがって、例えば複数のページを有する文書等を印刷した場合にもページ順通りに排紙トレイに積重されるので、ページ順に並び替える手間が不要になる。
【００７４】
図１０は、本願発明に係る「記録装置」としてのインクジェット式記録装置５０の要部側面図であり、裏面に記録実行後の記録紙Ｐが湾曲経路３を介して排出方向Ｅに排出される状態を示したものである。裏面に記録実行後の記録紙Ｐは、排紙駆動ローラ３１ａ〜３１ｄ、及び排紙従動ローラ３２ａ〜３２ｄによって、湾曲経路３内を記録実行面が内側に湾曲された状態で、図示していない排紙トレイへ排出される。
【００７５】
このようにして、表面に記録実行後の記録紙Ｐを、その記録紙Ｐの終端側から搬送方向、つまり副走査方向Ｙと逆方向に、搬送経路とは異なる逆送経路１を介して、給紙手段に向けて搬送するので、給紙する際に記録紙の終端の裏面側から給紙することになり、それによって、専用の反転ローラを設けることなく記録紙の面を反転させることができる。
【００７６】
また、面を反転させた記録紙Ｐを給紙する際に、給紙カセット７０から記録紙Ｐを給紙する給紙手段によって記録紙Ｐを給紙するので、記録紙Ｐの両面に記録を実行する際に、記録紙Ｐの表面に記録を実行する際の給紙制御手順と記録紙Ｐの裏面に記録を実行する際の給紙制御手順とを共通の制御手順とすることができる。したがって、記録紙Ｐの両面に記録を実行する際の給紙制御手順を簡略にすることができる。
【００７７】
他の実施の形態としては、上記実施例において、排出経路Ｅに湾曲経路３を構成しないものが挙げられる。そのような構成の記録装置であっても本願発明の実施は可能であり、本願発明による作用効果を得ることができるものである。
【００７８】
尚、上記実施例では、インクジェット式記録装置５０について説明したが、本願発明は上記実施例に限定されることなく、ファクシミリ装置、複写機、並びにファクシミリ／コピー複合機等の記録装置においても同様に、特許請求の範囲に記載した発明の範囲内で、種々の変形が可能であり、それらも本願発明の範囲内に含まれるものであることは言うまでもない。
【００７９】
【発明の効果】
本願発明によれば、専用の反転ローラを設けずに、記録装置内で記録紙の面を反転させて、記録紙の裏面に記録を実行して記録紙の両面に記録を実行することが可能な構成を有する記録装置において、記録紙の両面に記録を実行する際の給紙制御手順を簡略にすることができる。
【図面の簡単な説明】
【図１】本願発明に係る「記録装置」としてのインクジェット式記録装置の一実施の形態を示した斜視図である。
【図２】本願発明に係る「記録装置」としてのインクジェット式記録装置の一実施の形態を示した要部側面図である。
【図３】本願発明に係る「記録装置」としてのインクジェット式記録装置の要部側面図であり、記録紙を給紙し、表面に記録を実行している状態を示したものである。
【図４】本願発明に係る「記録装置」としてのインクジェット式記録装置の要部側面図であり、表面に記録実行後の記録紙が、待避経路へ誘導され、待避トレイへ搬送される状態を示したものである。
【図５】本願発明に係る「記録装置」としてのインクジェット式記録装置の要部側面図であり、表面に記録実行後の記録紙が、待避トレイへ搬送された状態を示したものである。
【図６】本願発明に係る「記録装置」としてのインクジェット式記録装置の要部側面図であり、待避トレイへ搬送された表面に記録実行後の記録紙の終端近傍が、逆送経路の入口側へ誘導された状態を示したものである。
【図７】本願発明に係る「記録装置」としてのインクジェット式記録装置の要部側面図であり、待避トレイへ搬送された表面に記録実行後の記録紙終端を、逆送経路を介して給紙手段へ逆送した状態を示したものである。
【図８】本願発明に係る「記録装置」としてのインクジェット式記録装置の要部側面図であり、表面に記録実行後の記録紙を給紙手段によって給紙し、裏面に記録を実行している状態を示したものである。
【図９】本願発明に係る「記録装置」としてのインクジェット式記録装置の要部側面図であり、裏面に記録が実行された記録紙が、排出経路へ排出されていく状態を示したものである。
【図１０】本願発明に係る「記録装置」としてのインクジェット式記録装置の要部側面図であり、裏面に記録実行後の記録紙が湾曲経路を介して排出方向に排出される状態を示したものである。
【符号の説明】
１    逆送経路
２    待避トレイ
３    湾曲経路
１１  逆送駆動ローラ
１２  逆送従動ローラ
１３  紙検出器（逆送経路）
３１ａ〜３１ｄ  排紙駆動ローラ（湾曲経路）
３２ａ〜３２ｄ  排紙従動ローラ（湾曲経路）
３３  揺動部
４１  双方向搬送駆動ローラ
４２  双方向搬送従動ローラ
５０  インクジェット式記録装置
５１  搬送駆動ローラ
５２  搬送従動ローラ
５３  プラテン
５４  排紙駆動ローラ
５５  排紙従動ローラ
５６  紙検出器
７０  給紙カセット
７１  給紙ローラ
７２  ピックアップローラ
７３  ゲートローラ
７４  リバースローラ
７５  ホッパー
７６  高摩擦部材
７７  コイルばね
Ｅ    排出経路
Ｐ    記録紙
Ｒ    逆送方向
Ｓ    待避経路
Ｘ    主走査方向
Ｙ    副走査方向
【図１】
0003931966.tif 000002
【図２】
0003931966.tif 000003
【図３】
0003931966.tif 000004
【図４】
0003931966.tif 000005
【図５】
0003931966.tif 000006
【図６】
0003931966.tif 000007
【図７】
0003931966.tif 000008
【図８】
0003931966.tif 000009
【図９】
0003931966.tif 000010
【図１０】
0003931966.tif 000011